【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
２つの結束具と２つの結束補助具を用いて結束対象物を結束する結束方法であって、
前記２つの結束具のそれぞれは、長尺状の係止部材と、前記係止部材を貫通させ、かつ任意の位置で係止する係止機構部を備え、
前記２つの結束補助具の中の一方は、前記２つの結束具の中の一方の結束具の係止部材を貫通させ、かつ任意の位置で係止することにより、前記一方の結束具に係止結合する為の係止結合孔または係止結合溝と、前記２つの結束具の中の他方の結束具の係止部材を貫通させて結合する為の結合孔または結合溝を備え、
前記２つの結束補助具の中の他方は、前記他方の結束具の係止部材を貫通させ、かつ任意の位置で係止することにより、前記他方の結束具に係止結合する為の係止結合孔または係止結合溝と、前記一方の結束具の係止部材を貫通させて結合する為の結合孔または結合溝を備え、
前記結束方法は、
第１の結束補助具の係止結合孔または係止結合溝に第１の結束具の係止部材を貫通させるステップと、
第２の結束補助具の係止結合孔または係止結合溝に第２の結束具の係止部材を貫通させるステップと、
前記第１の結束補助具を前記第１の結束具に係止させるステップと、
前記第２の結束補助具を前記第２の結束具に係止させるステップと、
前記第１の結束具の係止部材を前記第２の結束補助具の結合孔または結合溝に貫通させるステップと、
前記第２の結束具の係止部材を前記第１の結束補助具の結合孔または結合溝に貫通させるステップと、
前記第１の結束具と、前記第２の結束具との間に前記結束対象物を配置するステップと、
前記第１の結束具の係止部材を、前記第１の結束具の係止機構部に貫通させるステップと、
前記第２の結束具の係止部材を、前記第２の結束具の係止機構部に貫通させるステップと、
前記第１の結束具の係止部材と、前記第２の結束具の係止部材とにより、互いに異なる方向へ前記結束対象物を締め付けるステップと、
前記第１の結束具の係止部材を前記第１の結束具の係止機構部から挿抜できないように係止させるステップと、
前記第２の結束具の係止部材を前記第２の結束具の係止機構部から挿抜できないように係止させるステップと
を含む結束方法。
【請求項２】
物品を結束するための複数の結束具と複数の結束補助具からなる結束装置であって、
前記複数の結束具のそれぞれは、
長尺状の係止部材と、
自身の係止部材に係止結合した結束補助具が備える結合孔または結合溝を貫通する前記複数の結束具の中の他の結束具に係止結合した結束補助具が備える結合孔または結合溝を貫通した、自身の係止部材を貫通させ、かつ任意の位置で係止する係止機構部を備え、
前記複数の結束補助具のそれぞれは、
前記複数の結束具の中の少なくとも何れか１つの結束具の係止部材を貫通させ、かつ任意の位置で係止することにより、前記少なくとも何れか１つの結束具に係止結合する為の係止結合孔または係止結合溝と、
前記係止結合孔または前記係止結合溝により係止結合する結束具以外の前記複数の結束具の中の結束具の係止部材を貫通させて結合する為の結合孔または結合溝を備える
ことを特徴とする結束装置。
【請求項３】
前記複数の結束具のそれぞれは、結束バンドであり、前記係止部材は、前記結束バンドのバンド部であり、前記バンド部には長手方向に前記係止機構部に係止されるための凹凸部が形成されており、前記係止機構部は、前記凹凸部を１方向にのみ貫通可能とする、孔の内部に凸部を持つ貫通孔を有し、前記貫通孔により前記バンド部を係止し、
前記複数の結束補助具のそれぞれの前記係止結合孔は、前記バンド部の前記凹凸部を１方向にのみ貫通可能とする凸部を孔の内部に有し、前記凹凸部を任意の位置で係止すること
を特徴とする請求項２記載の結束装置。
【請求項４】
前記複数の結束補助具のそれぞれにおいて、自身の備える前記係止結合孔または前記係止結合溝と、自身の備える前記結合孔または前記結合溝は、互いにねじれの位置で垂直に交差すること
を特徴とする請求項２記載の結束装置。
【請求項５】
前記複数の結束補助具の中の少なくとも１つの結束補助具の前記係止結合孔または前記係止結合溝を有する部分と、前記結合孔または前記結合溝を有する部分とが軸により回転可能であり、前記係止結合孔または前記係止結合溝の方向に対する前記結合孔または前記結合溝の方向を変えることが可能であること
を特徴とする請求項２記載の結束装置。
【請求項６】
２つの結束具と、１つの結束補助具を用いて結束対象物を結束する結束方法であって、
前記２つの結束具の中の一方の結束具は、長尺状の係止部材と、前記係止部材を貫通させ、かつ任意の位置で係止する係止機構部を備え、
前記２つの結束具の中の他方の結束具は、長尺状の係止部材と、前記係止部材を貫通させ、かつ任意の位置で係止する係止機構部と、前記一方の結束具と結合するための結合孔または結合溝とを備え、
前記結束補助具は、前記一方の結束具の係止部材を貫通させ、かつ任意の位置で係止することにより、前記一方の結束具に係止結合する為の係止結合孔または係止結合溝と、前記他方の結束具の係止部材を貫通させて結合する為の結合孔または結合溝を備え、
前記結束方法は、
前記結束補助具の係止結合孔または係止結合溝に前記一方の結束具の係止部材を貫通させるステップと、
前記結束補助具を前記一方の結束具に係止させるステップと、
前記一方の結束具の係止部材を前記他方の結束具の結合孔または結合溝に貫通させるステップと、
前記他方の結束具の係止部材を前記結束補助具の結合孔または結合溝に貫通させるステップと、
前記一方の結束具と、前記他方の結束具との間に前記結束対象物を配置するステップと、
前記一方の結束具の係止部材を、前記一方の結束具の係止機構部に貫通させるステップと、
前記他方の結束具の係止部材を、前記他方の結束具の係止機構部に貫通させるステップと、
前記一方の結束具の係止部材と、前記他方の結束具の係止部材とにより、互いに異なる方向へ前記結束対象物を締め付けるステップと、
前記一方の結束具の係止部材を前記一方の結束具の係止機構部から挿抜できないように係止させるステップと、
前記他方の結束具の係止部材を前記他方の結束具の係止機構部から挿抜できないように係止させるステップと
を含む結束方法。
【請求項７】
結束対象物を結束するための結束具を結合して補助する結束補助具であって、
前記結束具は、長尺状の係止部材と、前記係止部材を貫通させ、かつ任意の位置で係止する係止機構部を備え、
前記結束補助具は、前記結束具の前記係止部材を貫通させ、かつ任意の位置で係止することにより、前記結束具に係止結合する為の係止結合孔または係止結合溝と、前記結束具の前記係止部材または他の結束具の係止部材を貫通させて結合する為の結合孔または結合溝を備えること
を特徴とする結束補助具。
【請求項８】
前記結束補助具の前記係止結合孔または前記係止結合溝は、前記結束具の前記係止機構部と同様の構造で前記係止部材を係止すること
を特徴とする請求項７記載の結束補助具。
【請求項９】
前記結束具は、結束バンドであり、前記係止部材は、前記結束バンドのバンド部であり、前記バンド部には長手方向に前記係止機構部に係止されるための凹凸部が形成されており、前記係止機構部は、前記凹凸部を１方向にのみ貫通可能とする、孔の内部に凸部を持つ貫通孔を有し、前記貫通孔により前記バンド部を係止し、
前記結束補助具の前記係止結合孔は、前記バンド部の前記凹凸部を１方向にのみ貫通可能とする凸部を孔の内部に有し、前記凹凸部を任意の位置で係止すること
を特徴とする請求項７記載の結束補助具。
【請求項１０】
前記結束補助具の前記係止結合孔または前記係止結合溝と、前記結束補助具の前記結合孔または前記結合溝は、互いに平行ではないこと
を特徴とする請求項７記載の結束補助具。
【請求項１１】
前記結束補助具の前記係止結合孔または前記係止結合溝を有する部分と、前記結束補助具の前記結合孔または前記結合溝を有する部分が軸により回転可能であり、前記係止結合孔または前記係止結合溝の方向に対する前記結合孔または前記結合溝の方向を変えることが可能であること
を特徴とする請求項７記載の結束補助具。
【請求項１２】
前記結束補助具の前記係止結合孔または前記係止結合溝と、前記結束補助具の前記結合孔または前記結合溝は、互いにねじれの位置で垂直に交差すること
を特徴とする請求項１０記載の結束補助具。
【請求項１３】
前記結束補助具は、前記係止結合孔または前記係止結合溝を複数有すること
を特徴とする請求項７記載の結束補助具。
【請求項１４】
前記結束補助具は、前記結合孔または前記結合溝を複数有すること
を特徴とする請求項７記載の結束補助具。